(57)【要約】【課題】工場に設置する設備等を施設するに当たって、簡便に費用の見積りができる方法を提供する。【解決手段】予め各種の機器のデータを記憶の機器データファイルによって、機器を選択すると、その選択した機器の価格を積算して見積る。【選択図】図６
2007310725.tif 000002
【特許請求の範囲】
【請求項１】
予め各種の機器のデータを機器データファイルとして記憶し、見積りソフトによって操作可能なマシンによる見積り方法であり、
選定する機器を前記機器データファイルから選択し、その選択した機器の価格を前記機器データファイルから見積りデータファイルを作成し、その見積りデータファイルにおける金額の合計を表示することを特徴とする見積り方法。
【請求項２】
選定した機器の長さと耐重量を、予め機器データファイルに記憶の値と比較することを特徴とする請求項１の見積り方法。
【請求項３】
選択する機器を画面表示することを特徴とする請求項１又は請求項２の見積り方法。
【請求項４】
サーバマシンとクライアントマシンを配置し、サーバマシンに前記機器データファイルが記憶してあり、クライアントマシンで機器の選択をして見積ることを特徴とする請求項１から請求項３の何れか１項の見積り方法。
【請求項５】
選択する機器を予め画面に表示し、表示された機器を配置図にコピーすることによって、見積り対象機器が選択できることを特徴とする請求項１の見積り方法。
【請求項６】
請求項１から請求項５の何れか１項の発明で見積った設備費に対し、人件費を考慮して投資効果を評価する方法。
【発明の詳細な説明】
【技術分野】
【０００１】
本発明は、工場に設置する設備等を施設するに当たって、係る費用の見積りと投資効果を評価する方法に関する。
【背景技術】
【０００２】
物を生産するに当たって、既設備を増設したり、取り替えたり、或いは新設する場合には、投資効果を判断しなければならない。そのためには、設置する機器や工事費等の費用を算出し、その費用に基づいての評価をする必要がある。
従来、この費用の算出には、先ず、機器を選定するに当たってはカタログを見る。そして、カタログから機器を選択し、メーカに価格等を問い合わせる。そして、機器等を選定した後に、工事費等を見積り、総見積額を算出する。そして、その総見積額と人件費等を考慮して、設備投資効果について検討している。
もし、その設備費に対する投資効果が見合わないときには、異なる設備を選択し、再度、見積りを算出して投資効果を評価するという作業を行っている。
【発明の開示】
【発明が解決しようとする課題】
【０００３】
前記のように、総見積額は、機器の選択によって異なり、設備費等の投資額が採算に合致しないときには、異なる機器を選択して、再度、見積りをし直すという作業をしなければならない。
この様に、見積り額を算出することは、種々のデータ等を参照しなければならず、手間暇がかかる。
そこで、本願の発明は、迅速、簡便に、設備費等の見積りを可能にすると共に、その見積額に対する投資効果の評価方法を提供する。
【課題を解決するための手段】
【０００４】
請求項１の見積り方法は、予め各種の機器のデータを機器データファイルとして記憶し、見積りソフトによって操作可能なマシンによる。そして、選定する機器を前記機器データファイルから選択すると、その選択した機器の価格を前記機器データファイルから見積りデータファイルを作成する。そして、その見積りデータファイルにおける金額の合計を表示するので、意に反する金額の場合には、再度、同じ操作で、他のメーカの機器を選択することによって、見積ることができる。
又、請求項２の見積り方法は、選定した機器の長さと耐重量を、予め機器データファイルに記憶の値と比較することによって、仕様外の機器選択を防止できる。
請求項３の見積り方法は、選択する機器を画面表示するので、実際の配置を見ながら見積ることができる。
又、請求項４の見積り方法は、サーバマシンとクライアントマシンを配置し、サーバマシンに前記機器データファイルが記憶してあり、クライアントマシンで機器の選択をして見積ることができる。機器データファイルをサーバマシンだけに入力しておけば良いので、管理が簡便である。
請求項５の見積り方法は、選択する機器を予め画面に表示し、表示された機器を配置図にコピーすることによって、見積り対象機器が選択できる。
請求項６の投資効果の評価方法は、請求項１から請求項５の何れか１項の発明で見積った設備費に対し、節約可能な人件費を考慮して、投資効果を評価する。この評価の良否によって、投資をすべきか否かの判断ができる。
【発明の効果】
【０００５】
請求項１の見積り方法は、容易に、他のケースで見積ることができる。
又、請求項２の見積り方法は、仕様外の機器選択を防止できる。
請求項３の見積り方法は、選択する機器を画面表示するので、実際の配置を見ながら見積ることができる。
又、請求項４の見積り方法は、機器データファイルをサーバマシンだけに入力しておけば良いので、管理が簡便である。
請求項５の見積り方法は、選択する機器を予め画面に表示し、表示された機器を配置図にコピーすることによって、見積り対象機器が選択できるので、機器をよく知らないものであっても、機器の概念図から選択できる。
請求項６の投資効果の評価方法は、見積った設備費と節約できる人件費を考慮して、投資効果を評価するので、投資をすべきか否かの判断ができる。
【発明を実施するための最良の形態】
【０００６】
本発明の実施の形態は、図１に示すように、通信回線を介してクライアントマシンとサーバマシンを接続して実施可能にする。
尚、クライアントマシンだけで、即ち、スタンドアローンで実行可能に構成してもよいことは言うまでもない。
サーバマシンとクライアントマシンには、各々、ＣＰＵ、ＲＡＭやＲＯＭを備えていると共に、記憶媒体（ハードディスク等）、表示画面を備えている。そして、前記サーバマシンとクライアントマシンの記憶媒体には、下記する見積り等が簡便に作成できるように、データファイルと共に見積りソフトウエアが記憶してある。
尚、クライアントマシンとサーバマシンを接続可能にするためには、登録番号や暗証番号が一致した時点で可能であり、かかる登録番号や暗証番号は、予めサーバマシンに記憶してある。
【０００７】
（機器データの入力）
サーバマシンには、予め、クライアントは選択する機器データファイルを作成しておく。この機器データファイルの作成方法として、例えば、見積りソフトウエアを実行し、「機器メニュー」のアイコンをクリックすると、図２に示す機器メニューが表示される。この機器メニューには、機器として、コンベア、方向転換機、カウンタ機、シール機等である。そして、この機器メニューに新たな機器を登録するには、登録欄をクロックする。反対に削除するときには、機器（例えば、コンベア）をクリックし、次に、削除欄を押すと削除される。
尚、サーバマシンとクライアントマシンを通信網で接続して使用可能にしておくと、機器データファイルをサーバマシンだけに記憶しておけば良いので、管理が簡便である。
【０００８】
前記登録欄をクリックすると、機器に関して入力できる表が、図３に示すように、機器名称欄と共に表示される。そして、機器名称欄の右欄に、例えば、コンベアの機器名称を入力する。そして、この表に、例えば、特徴を表す項目として、形式（ベルトコンベア、ローラコンベア等）、メーカ名、幅Ｗａ、最大長さ（Ｌａ）、耐重量（Ｋａ）、速度（Ｖａ）、モータの電力（Ｋｗ／Ｈｒ）、価格（円）及び概略図等を入力する。この入力によって、種々の形式のコンベアに対するリストが作成できる。
【０００９】
ここで、前記最大長さは、１台当たりの長さであり、それ以下の長さも製作できるとする。耐重量は、例えば、１平方メートル当たりの重量であり、後述する搬送物の底面積と重量で、自動的に選定するか、手動で選定したときにはチェック事項とする。又、モータの電力は、最大長さ以下のコンベア長であっても、この消費電力とする。また、価格は、基本価格と、長さ当たりの価格の合計のように、例えば、「ａ＋ｂｘ」で表し、ａ（基本価格）、ｂ（長さ当たりの価格）を入力する。例えば、ａ＝５万円、ｂ＝５０００円であるときには、８ｍのコンベアは５万円＋５０００円＊８ｍ＝９万円となる。
又、新たな項目を入力したいときには、項目を追記すると共に、項目に対するデータを入力する。
【００１０】
前記のように、一度、コンベアの項目を作成すると、他のメーカのデータは、項目に該当する欄に、データとして入力する。従って、この機器名称（コンベア）に対しては、同じメーカであっても異なる形式のコンベア、他メーカのコンベアのデータ入力ができる。
尚、このコンベアのファイルは、入力が終了すると、そのままの状態で記憶されるのではなく、形式毎に纏めて作成し直されて記憶される。従って、後述するが、このコンベアを選択するに当たって、形式毎にまとまって、例えば、上からベルトコンベアが纏められ、その下にはローラコンベアが、その下には金属ベルトコンベアが、等のように表示されるので、形式を選択するに当たって、容易である。
【００１１】
又、前記機器メニューにおいて、シール機を選択すると、前記のコンベアと同様に、全く初めての場合には、機器名称の入力と項目の入力を要するが、一旦入力してファイルが作成してあるときには、項目にしたがってデータを入力すればよい。
以上のように、このサーバマシンで、種々の機器のデータを入力することができる。
【００１２】
次に、クライアントマシンで、コンベア設備の見積りをする操作について説明する。
（サーバマシンとの接続）
先ず、見積り依頼者は、クライアントマシンで「見積りソフト」を起動すると、登録番号と暗証番号を入力する旨の画面が表示される。見積り依頼者は、登録番号と暗証番号を入力すると、それらのデータはサーバに転送され、サーバで一致するか否かが判断され、一致しないときには、再入力画面が表示され、複数回不一致のときには、このソフトを終了する。一方、登録番号と暗証番号が一致したときには、図４に示す項目の入力を促す。
【００１３】
（クライアントの見積りにおける基本データ入力）
先ず、見積り者は、見積りソフトを立ち上げて、「見積りのアイコン」をクリックすると、下記項目が表示され、下記項目に対するデータを入力する。尚、この項目は、見積り全体の基本データである。
（ａ）見積りの名称（尚、この名称は、登録番号と開始時間で区別するファイルを作成するように構成してあるときには、必ずしも必要ではない。すなわち、この場合には、見積書の作成ファイルを自動で作成する。
（ｂ）設置面積（縦Ｗ0と横Ｌ0の長さを入力する）。この面積は、後述の機器配置のとき、全体図として表示するので、選択する機器の長さ等のチェックができる。
【００１４】
これらの入力が終了した段階で、次へのアイコンをクリックすると、「機器メニュー」が表示される。そこで、「コンベア」をクリックすると、予め登録してあるコンベアに対する入力項目が表示される。そこで、これらの項目に対して入力する。
（ｃ）搬送物の形状（縦Ｙｗ、横Ｘｗ、高さＺｗ）
この形状によって、コンベアの幅の選択ミスを防止できる。
（ｄ）搬送物の重量
この重量Ｗｗと前記形状によって、コンベアの耐荷重Ｋａが判り、選択するコンベアのミスを防止できる。
（ｅ）搬送量（生産量）／月
稼働時間：Ａ時間／日、Ｍ日／月（従って、Ａ＊Ｍ時間／年）
（ｆ）コンベアの速度（Ｖｗ）又は搬送量／分
この速度は、前記（ｅ）の搬送量と稼働時間から算出可能である。
（ｇ）節約員数（ｐ人）、勤務時間（ｑ）／月、人件費（ｒ／時間）
この「節約可能な人件費（／年）Ｒ＝ｐ＊ｑ＊ｒ」は、（投資設備費＋電気代等）と比較することによって、投資効果が判る。
以上の項目の入力が終了したとき、次へのアイコンをクリックする。
【００１５】
（コンベア設備の配置と機器選定）
次に、コンベア設備と配置との関係を考慮しながら見積る方法について説明する。
先ず、機器見積りのアイコンをクリックすると、表示画面には、前記入力した見積りの名称と共に、前記設置面積に対する縦と横の寸法に基づいて、図５に示す配置枠が表示される。
次に、配置する機器を選択する操作であるが、この配置枠内で、マウスを右クリックすると、前記図２に示す「機器名称欄（メニュー）」が表示される。
そして、このコンベアの一欄表から、選択するコンベアをクリックすると、確認画面が表示されるので、「ｙｅｓ」をクリックする。このマシンは、このコンベアが選択された。
次に、選択したコンベアの長さ（Ｌ）と幅（Ｗ）を入力する旨が画面に表示され、長さをＬ、幅をＷと入力する。
【００１６】
次に、マシンの画面には、「設置するコンベアの起点はどこか」と表示されるので、起点を左クリックする。すると、このコンベアの横方向の終点はどこかと表示されるので、概略の終点箇所を左クリックして確定するが、この終点は横方向であっても、起点から右か左方向かを確認するのみで、実質的には、前記長さＬで決定する。
次に、この「コンベアの縦方向の終点はどこか」と表示されるので、概略の終点箇所を左クリックして確定するが、この終点は縦方向であっても、画面において、起点から上か下方向かを確認するのみで、実質的には、前記幅Ｗで決定する。
ここでは、横方向を右方向に、縦方向を下方向の位置でクリックしたので、起点から、右方向にＬ、下方向にＷのコンベア枠が表示される。
【００１７】
（選択したコンベアのチェック）
前記機器ファイルから選択したコンベアの幅Ｗと長さＬ及び耐荷重Ｋａが既知である。
一方、基本データ入力では設置面積（縦Ｗ0と横Ｌ0）は既知であるので、選択し、設置する場所に、コンベアは設置可能であるか否かを判定する。
コンベアの長さは「Ｌ」であり、起点（Ｘ0、Ｙ0）から右又は左方向に長いときには、「Ｌ＋Ｘ0＜Ｌ0」が成立していれば、設置可能である。或いは、縦方向に長いときには、起点（Ｘ0、Ｙ0）から下又は上方向に、「Ｌ＋Ｙ0＜Ｗ0」が成立していれば、設置可能である。
【００１８】
次に、選択したコンベアの幅（Ｗ）に対し、搬送物の大きさは縦Ｙｗ、横Ｘｗである。そこで、Ｗ＞縦Ｙｗ、Ｗ＞横Ｘｗが成立していればよい。
又、搬送物を搬送する処理速度は、選択したコンベア速度Ｖａより遅いことが条件であり、Ｖｗ＜Ｖａが成立していればよい。
又、選択したコンベアの耐荷重Ｋａに対し、搬送物の重量Ｗｗと低面積（縦Ｙｗ×横Ｘｗ）との演算を行う。即ち、Ｗｗ／底面積（縦Ｙｗ×横Ｘｗ）が、面積当たりの荷重であり、この値が選定したコンベアの耐荷重Ｋａより小さければ良い。
以上のチェックにより、選定したコンベアが満足したものであるか否か判断し、満たさない条件があればその旨表示して、再選択を促す。
条件を満たしていると、表示画面に表示のコンベアの隣りに、そのコンベアの形式、メーカ名、長さ、幅等の情報が表示されると共に、図６に示す見積りファイルが作成される。
【００１９】
（見積りデータファイル）
この見積りデータファイルは、前記した様に、順次機器を選定すると、図６に示すように、見積り額を合計する表である。
先ず、この見積りデータファイルの名称を、図４に示す「見積りの名称」とし、図４で入力の人件費を算出して表示する。この人件費は、人数×費用×１２で、１年の費用が算出できる。
次に、前記選定した機器（１）のコンベアに対する見積り額は、データａ、ｂと選定した長さＬにより、「ａ＋ｂ×Ｌ」が算出額であり、その時のモータの電力（Ｋｗ）から、「稼働時間ｑ／年×単価／ＫｗＨｒ」を入力する。
以上により、最初の機器を選択する方法及び、その時、作成される見積りファイルである。
【００２０】
次に、新たな機器を選定する場合について説明すると、前記図５に示す画面において、前記機器を選択したと同じ操作を行う。
即ち、前記（コンベア設備の配置と機器選定）に記載事項を実施することによってして、第２の機器（例えば、ローラコンベア、或いは、方向転換機等）を選定することができるので説明を略す。
この第２の機器（コンベア）の設置する位置によって、図７に示すように、第２のコンベアが縦方向に長く設置される図が表示され、見積りデータファイルが作成される。
尚、前記機器（コンベア）は、表示画面に表示されるが、必ずしも表示を必要としないが、見積りデータファイルを作成する。即ち、単に、機器のみを選択して、見積ることを可能に構成してもよい。この場合、図５の表示画面が表示されたとき、機器表示をするか否かの選択画面を表示し、何れかの選択に従って、以後の表示を行う。
【００２１】
以上のように、必要な機器選択が終了したときには、「終了」のアイコンをクリックすると、画面には、図７に示す機器の配置図の上又は横に、図６に示す見積りデータファイルが表示される。
この見積りデータファイルは、前記「終了」をクリックしたとき、合計が演算され、機器合計費（Ｘ）と電気等の費用合計（Ｙ）が表示される。又、前記入力した「節約可能な（人件費／年）Ｒ」が併せて表示される。尚、節約可能な費用の合計を前記Ｒの他の項目を考慮しての合計値をＺとする。
そこで、前記設備費と節約費用等の関係に対し、（Ｘ＋Ｙ）／Ｚの演算によって償却する年数が算出でき、この値が大きければ、投資効果が低いので、前記した要領で、他のメーカの機器選択を行うことによって、異なる投資効果を比較することができる。
尚、前記投資効果の算出に当たって、「（Ｘ＋Ｙ）／Ｚ」に替えて、電力費等を考慮しない人件費だけの比較による「（Ｘ）／Ｚ」で算出してもよいし、他の費用等を考慮して算出してもよい。
【００２２】
次に、前記「コンベア設備の配置と機器選定」における他の方法について説明する。
この方法は、「機器見積り」のアイコンをクリックすると、パーソナルコンピュータの表示画面には図２に示す「機器名称欄（メニュー）」が表示される。そして、この機器の中から、「コンベア」を左クリックすると、図８に示す、コンベアの形式覧表（ローラコンベア、ベルトコンベア等）が表示される。
次に、今回選定する機器の「ローラコンベア」を左クリックすると、前記入力した「コンベアの一欄表」の中で主たる形式、あるいは、登録した全てのローラコンベアの概念図を表示する。ここでは、例えば、販売されている定型のローラコンベアのみを表示することによって、この種のコンベアがあることをよく熟知していない者であっても、下記する要領で簡便に見積ることができる。
図８の例では、サンプルとして、直線コンベア（Ａ）、曲がりコンベア（Ｂ）、Ｔ字コンベア（Ｃ）等が表示される。
【００２３】
次に、図８に示す表示画面の右側には、前記入力した設置面積（縦Ｗ0と横Ｌ0の長さを入力する）が、前記直線コンベア（Ａ）等の長さに対応する寸法で表示されている。
そこで、見積り者は、その設置面積内で使用するローラコンベアを、コピーの形式で選択できると共に、配置場に写す。即ち、図８の左側には４種類のローラコンベア（Ａ）（Ｂ）（Ｃ）（Ｄ）が表示されているので、使用するローラコンベア（Ａ）（Ｂ）（Ｃ）を設置する箇所にコピーする。
この操作によって、ローラコンベアの形式、寸法をよく知らない者であっても、設置面積内に配置する３種類のコンベアを選択できる。また、この時、配置図外となる長さのコンベアを選択したときには、他のコンベアを選択し直すことはいうまでもない。
尚、前記ローラコンベアとは異なる機器を選定するときには、前記同じ要領で、「機器名称欄（メニュー）」を表示し、例えば、カウンタ機を選定すると、カウンタ機の種々の形式のサンプルが表示され、選定するカウンタ機を配置図にコピーすることによって、その機器が見積り対象機器となる。以上の操作をすることによって、配置図には見積る機器が選択表示される。
そして、前記例において、３基のローラコンベア（Ａ）（Ｂ）（Ｃ）で見積ることが確定したら、「終了」のアイコンをクリックすると、表示画面には、図７に示す機器の配置図の上又は横に、図６に示す見積りデータファイルが表示される。
【００２４】
この見積りデータファイルは、前記と同じであり、前記選択したローラコンベア（Ａ）（Ｂ）（Ｃ）の設備費等が表示されると共に、節約可能な人件費、用益費等を考慮の投資効果も表示される。
以上のように、機器を見積るに当たって、予め表示する形式等のコンベアが概念図等で表示されるので、如何なる形式、寸法のコンベアがあるのかよく知らない者であっても、必要と思われる機器を選択することができると共に、見積りができ、且つ、投資効果の算出ができる。
尚、この発明に対し、前記ではコンベア設備を例示としての見積り方法と評価方法を提示したが、その他の物流搬送機器や設備機器全般に適用できることはいうまでもない。
【図面の簡単な説明】
【００２５】
【図１】サーバマシンとクライアントマシンの関係を示す図である。
【図２】機器ファイルの入力に当たってのメニュー図である。
【図３】機器名称ファイルの入力表である。
【図４】見積りに当たっての基本データ入力表である。
【図５】機器選定における表示画面の図である。
【図６】見積り金額のファイル表である。
【図７】複数の機器を選定するときの画面表示である。
【図８】他の見積り対象の機器を選択するための概念図である。
【図１】
2007310725.tif 000003
【図２】
2007310725.tif 000004
【図３】
2007310725.tif 000005
【図４】
2007310725.tif 000006
【図５】
2007310725.tif 000007
【図６】
2007310725.tif 000008
【図７】
2007310725.tif 000009
【図８】
2007310725.tif 000010